(57)【特許請求の範囲】
【請求項１】
第１の吊り部材によって水平支持金物が吊り支持され、該水平支持金物によって、それより上側の上部フェイスガラス、水平支持金物より下側のガラス扉および下部フェイスガラスがそれぞれ支持されていることを特徴とするガラスカーテンウォール。
【請求項２】
請求項１記載のガラスカーテンウォールにおいて、
前記水平支持金物によって前記ガラス扉を開閉する駆動部も支持されていることを特徴とするガラスカーテンウォール。
【請求項３】
請求項１または２記載のガラスカーテンウォールにおいて、
前記水平支持金物はその上方に配置される水平トラスにより前記第１の吊り部材を介して吊り支持され、該水平トラスは建物躯体により第２の吊り部材を介して吊り支持されていることを特徴とするガラスカーテンウォール。
【請求項４】
請求項３記載のガラスカーテンウォールにおいて、
前記水平トラスは前記水平支持金物よりも長く設定され、水平トラスの水平支持金物から張り出す張り出し部分と下方の床と間に、前記上部フェイスガラスと前記下部フェイスガラスとの高さの和と略同じ高さに設定された大型フェイスガラスが支持されていることを特徴とするガラスカーテンウォール。
【請求項５】
請求項４記載のガラスカーテンウォールにおいて、
前記水平トラスと前記床との間に、前記大型フェイスガラスと直交するようにリブガラスが支持されていることを特徴とするガラスカーテンウォール。
【請求項６】
請求項３〜５のいずれかに記載のガラスカーテンウォールにおいて、
前記水平トラスと前記建物躯体との間に開口部が設けられ、この開口部が開閉シャッタによって開閉可能とされていることを特徴とするガラスカーテンウォール。
【発明の詳細な説明】
【０００１】
【発明の属する技術分野】
本発明は、ガラスカーテンウォールに係わり、特に、ガラスを主体とする開口部にガラス扉を備えるガラスカーテンウォールに関するものである。
【０００２】
【従来の技術】
この種のガラスカーテンウォールにおいて、ガラス扉を支持、固定する方法としては、適宜箇所に方立材を付加し、それにガラス扉を支持させたり、オートドアの場合にはガラス扉に加え扉駆動部も支持させる方法がある。また、ガラス部を強化ガラスとし、それにガラス扉や扉駆動部を支持させる方法もある。
【０００３】
【発明が解決しようとする課題】
上述した従来のガラスカーテンウォールにおけるガラス扉支持方法であっては次に示す問題があった。
すなわち、前者の方立材を用いる場合には、方立材によりガラス面の透明感が損なわれてしまう。
また、後者の強化ガラスを用いる場合には、強化ガラスの制作可能寸法に限度があり大開口部には不向きである、また、高コストとなりやすいという問題があった。
【０００４】
上記事情に鑑みて、本発明においては、ガラス面の透明感が損なわれることなく、また、大開口部にあっても施工可能であり、さらにコストの上昇を抑えることことを課題としている。
【０００５】
【課題を解決するための手段】
上記課題を解決するために本発明においては以下の手段を採用した。
すなわち、請求項１記載のガラスカーテンウォールは、第１の吊り部材によって水平支持金物が吊り支持され、該水平支持金物によって、それより上側の上部フェイスガラス、水平支持金物より下側のガラス扉および下部フェイスガラスがそれぞれ支持されていることを特徴としている。
【０００６】
このような構成では、上方から吊り下げ支持される水平支持金物によって、ガラス扉および下部フェイスガラスを支持しており、ガラス扉の周りには方立材を立てる必要がなく、人の視線レベルにおいてガラス面の透明感が損なわれない。また、水平支持金物で上部フェイスガラスも支持しているので、人の視線レベルの上側でもガラス面の透明感が確保され、充分な開放感が得られる。
また、水平支持金物を下部フェイスガラス等で支持する必要がないため、下部フェイスガラスのガラス材としてはなんら強化ガラスを用いることなく通常のガラス材を利用することができ、このためコストの上昇を抑えることができる。
さらに、ガラス扉および下部フェイスガラス等を支持する水平支持金物はその長さを自由に長く設定でき、したがって大開口部にあっても適用可能である。
【０００７】
請求項２記載のガラスカーテンウォールは、請求項１記載のものにおいて、前記水平支持金物によって前記ガラス扉を開閉する駆動部も支持されていることを特徴としている。
このような構成では、ガラス扉をオートドアとすることができ、この場合でも、ガラス面の透明感が損なわれず、また、コスト上昇を抑えることができる。
【０００８】
請求項３記載のガラスカーテンウォールは、請求項１または２記載のものにおいて、前記水平支持金物がその上方に配置された水平トラスにより前記第１の吊り部材を介して吊り支持され、該水平トラスが建物躯体により第２の吊り部材を介して吊り支持されていることを特徴としている。
このような構成では、水平支持金物、水平トラスをそれぞれ第１，第２の吊り部材で支持しており、それらを下方の床から支持する目障りな柱部材を用いていないため、人の視線レベルにおけるガラス面の透明感、開放感が広い範囲に渡って損なわれない。
【０００９】
請求項４記載のガラスカーテンウォールは、請求項３記載のものにおいて、前記水平トラスが前記水平支持金物よりも長く設定され、水平トラスの水平支持金物から張り出す張り出し部分と下方の床と間に、前記上部フェイスガラスと前記下部フェイスガラスとの高さの和と略同じ高さに設定された大型フェイスガラスが支持されていることを特徴としている。
このような構成では、ガラス扉に隣接するよう、大型フェイスガラスを柱部材を用いることなく支持することができ、より一層、カラス面による開放感が得られる。
【００１０】
請求項５記載のガラスカーテンウォールは、請求項４記載のものにおいて、前記水平トラスと前記床との間に、前記大型フェイスガラスと直交するようにリブガラスが支持されていることを特徴としている。
このような構成では、リブガラスによって、大型フェイスガラスの面に直交する方向の剛性を確保することができ、強度確保とガラス面による開放感とをともに満足させることができる。
【００１１】
請求項６記載のガラスカーテンウォールは、請求項３〜５のいずれかに記載のものにおいて、前記水平トラスと前記建物躯体との間に開口部が設けられ、この開口部が開閉シャッタによって開閉可能とされていることを特徴としている。
このような構成では、水平トラスのさらに上側に開放空間を形成することができ、さらなる開放感が得られる。
また、上部、下部フェイスガラスや大型フェイスガラスを通して加温された室内空気を上側の開放空間から放出することができ、もって、特に夏期等において室内側の温度上昇を抑えることができる。
【００１２】
【発明の実施の形態】
以下、本発明の実施の形態を、図面に基づいて説明する。
図１は、本発明の一実施の形態を示す玄関周りの正面図であり、図中、符号１は１階の床を示す。２は水平トラスであり、この水平トラス２により、第１の吊り部材３を介して水平支持金物４が吊り支持されている。また、水平トラス２は、第２の吊り部材５を介して建物躯体、具体的には４階の床を構成するスラブ６によって吊り支持されている。
【００１３】
水平トラス２は、図４にも示すように、所定間隔をあけて互いに平行に配置される２本の平行バー２ａと、それら平行バー２ａどうしを斜めあるいは直交するように連結する連結部材２ｂとから構成されている。
水平トラス２を吊り支持する第２の吊り部材５は、パイプ材から成っていて、水平トラス２が前後左右に動かないよう、該水平トラス２の長さ方向所定間隔おきの複数箇所を、前後並びに左右の斜め方向から吊り支持している。
【００１４】
水平支持金物４を吊り支持する第１の吊り部材３は、図２、図４に示すように、水平トラス２と水平支持金物４との間に渡されるロッド３ａにより構成されている。また、図５にも示すようにロッド３ａは間に上部フェイスガラス１０を挟み込むように、水平支持金物４の幅方向に所定間隔をあけて設けられ、かつ、それら互いに対をなすロッド３ａが、水平支持金物４の長さ方向に所定間隔をあけて複数組設けられている。
【００１５】
また、前記４階の床を構成するスラブ６と水平トラス２との間には、所定間隔をあけて複数の縦材７が渡されており、それら縦材７同士の間には開口部８と最上部フェイスガラス９が交互に設けられている。開口部８は防雨シャッタ（図示略）により必要に応じて覆われるようになっている。
【００１６】
水平トラス２と水平支持金物４との間には、上部フェイスガラス１０が、水平トラス２および水平支持金物４に支持されて取り付けられている。また、水平支持金物４の下方には、ガラス扉１２および下部フェイスガラス１３が配置され、これらガラス扉１２等は水平支持金物４によって支持されている（図２、図３参照）。
【００１７】
前記ガラス扉１２は２種類設けられている。その内の一つは自動的に開閉する引戸タイプのオートドア１２Ａであり、他のガラス扉は手動で開閉するヒンジタイプのスイングドア１２Ｂである。ここでは、中央にオートドア１２Ａが配置され、その両側にスイングドア１２Ｂが配置されている。そして、それらガラス扉１２（１２Ａ、１２Ｂ）の間に、下部フェイスガラス１３が、水平支持金物４とその下方の床１によって固定状態で支持されている。
【００１８】
水平支持金物４は、図５に示すように、２個のＬ字状の型鋼４ａが所定間隔をあけて背中合わせの状態で、かつ、互いの垂直プレート部４ａａを連結部材４ｂにより連結されて構成されている。
【００１９】
水平支持金物４の室内側（図５における右側）のＬ字状の型鋼４ａには、前記オートドア１２Ａを開閉する駆動部１５が、ボルト等の適宜固定手段１６によって取り付けられている。駆動部１５の下方には、人の有無を検出するセンサ１７が、オートドア１２Ａの内側と外側にそれぞれ配置され、これらセンサ１７は水平支持金物４の室内側のＬ字状の型鋼４ａによって支持されている。
また、図５に示すように、床１には、オートドア１２Ａの下端部を若干の隙間をあけて挟み込むガイドレール１８が、アンカー１９を介して固定されている。
【００２０】
前記水平トラス２は水平支持金物４よりも長く設定されている（図１参照）。そして、水平トラス２の水平支持金物４から外方へ張り出す張り出し部分と下方の床１と間には、上部フェイスガラス１０と前記下部フェイスガラス１３との高さの和と略同じ高さに設定された大型フェイスガラス２０が支持されている。
【００２１】
また、水平トラス２と床１と間には、リブガラス２２が大型フェイスガラス２０と直交するようにかつ大型フェイスガラス２２の面方向所定間隔おきに配置され、これらリブガラス２２は水平トラス２および床１によって支持され留とともに、大型フェイスガラス、上部フェイスガラス１０と適宜接着剤を介して接合されている（図３，図４参照）。
【００２２】
次に、上記構成のガラスカーテンウォールの作用について説明する。
上記構成のガラスカーテンウォールによれば、上方から吊り下げ支持された水平支持金物４によって、ガラス扉１２（１２Ａ，１２Ｂ）および下部フェイスガラス１３を支持しており、ガラス扉１２（１２Ａ，１２Ｂ）の周りには方立材を立てる必要がない。したがって、人の視線レベルにおいて視覚的にガラス面を遮るものがなく、ガラス面の透明感が損なわれない。
また、水平支持金物４で上部フェイスガラス１０も支持しているので、人の視線レベルの上側でもガラス面の透明感が確保され、充分な開放感が得られる。
【００２３】
また、水平支持金物４を第１の吊り部材３によって吊り支持しており、下部フェイスガラス１３は、水平支持金物４を支持するような機能は不要であって単に透明なガラス面を構成するだけでよく、このため、下部フェイスガラス１３のガラス材としては、強化ガラスを用いなければならない程の強い強度は要求されず、したがって、通常のガラス材を利用することができ、もって、コストの上昇を抑えることができる。
【００２４】
また、ガラス扉１２および下部フェイスガラス１３を支持する水平支持金物４は、その長さを自由に長く設定でき、したがって、大開口部の場合にあっても充分適用可能である。
【００２５】
また、水平支持金物４をその上方の水平トラス２により第１の吊り部材３を介して吊り支持し、水平トラス２を建物躯体のスラブ６により第２の吊り部材５を介して吊り支持しており、このように水平支持金物４および水平トラス２をそれぞれ吊り部材３，５で支持しているため、それらを下方の床１から支持する目障りな方立材や柱部材を用いる必要がなく、この点においても人の視線レベルにおいてガラス面の透明感等が広い範囲に渡って損なわれない。
【００２６】
また、水平トラス２を水平支持金物４よりも長く設定し、この水平トラス２の水平支持金物４から張り出す張り出し部分と下方の床１との間に大型フェイスガラス２０を支持しており、このような構成にすることによって、ガラス扉１２（１２Ａ、１２Ｂ）に隣接するよう、大型フェイスガラス２０を柱部材を用いることなく支持することができ、より一層、カラス面の開放感が得られる。
【００２７】
この場合、前述したように水平トラス２を第２の吊り部材５によって吊り支持しており、大型フェイスガラス２２は、単に透明なガラス面を構成するだけでよく、水平トラス２を支持するような機能は不要である。このため、大型フェイスガラス２２のガラス材としては、強化ガラスを用いなければならない程の強い強度は要求されず、通常のガラス材を利用することも可能となり、さらなるコスト低減を図ることもできる。
【００２８】
また、水平トラス２と床１との間に、大型フェイスガラス２０と直交するようにリブガラス２２を支持しており、このリブガラス２２によって、大型フェイスガラス２０や上部フェイスガラス１０を補強することができ、強度確保とガラス面による開放感をともに満足させることができる。
【００２９】
さらに、水平トラス２と建物躯体のスラブ６との間に開口部８を設け、この開口部８を開閉シャッタによって開閉可能となる構成になっており、夏期の昼間等の暑いときには、開口部８を開放することにより、上部、下部フェイスガラス１０，１３や大型フェイスガラス２０を通して加温された室内空気を上側の開口部８から外部へ放出することができ、もって、室内側の温度上昇を抑えることができる。
【００３０】
以上において本発明の一実施の形態を説明したが、本発明は上記実施の形態に限定されるものでなく、その趣旨を逸脱しない範囲内で他の構成を採用することができる。
例えば、上記実施の形態において、玄関の中央にオートドア１２Ａを設け、その両側にスイングドア１２Ｂを設けているが、これに限られることなく、中央にスイングドア１２Ｂを設け、その両側にオードドア１２Ａを設けてもよく、あるいは全てをオートドア１２Ａまたはスイングドア１２Ｂにしてよい。
【００３１】
【発明の効果】
以上説明したように、本発明によれば、上方から吊り下げ支持される水平支持金物によって、ガラス扉および下部フェイスガラスを支持しており、ガラス扉の周りには方立材を立てる必要がなく、人の視線レベルにおいてガラス面の透明感が損なわれず、また、ガラス材としてなんら強化ガラスを用いることなく通常のガラス材を利用することができ、もってコストの上昇を抑えることができる。さらに、ガラス扉および下部フェイスガラス等を支持する水平支持金物はその長さを自由に長く設定でき、したがって大開口部にあっても適用可能である。
また、水平支持金物をその上方の水平トラスにより第１の吊り部材を介して吊り支持し、この水平トラスを建物躯体により第２の吊り部材を介して吊り支持するような構成にすれば、水平支持金物、水平トラスを下方の床から支持する目障りな柱部材を用いる必要がなく、人の視線レベルにおけるガラス面の透明感、開放感が広い範囲に渡り損なわれず、より一層の開放感が得られる。
【図面の簡単な説明】
【図１】  本発明の一実施の形態を示す建物の玄関周りの正面図である。
【図２】  本発明の一実施の形態を示す建物の玄関周りの拡大正面図である。
【図３】  本発明の一実施の形態を示す建物の玄関周りの拡大平面図である。
【図４】  本発明の一実施の形態を示す建物の玄関周りの拡大側面図である。
【図５】  本発明の一実施の形態を示すオートドアの詳細を示す側断面図である。
【符号の説明】
１  床
２  水平トラス
３  第１の吊り部材
４  水平支持金物
５  第２の吊り部材
６  スラブ（建物躯体）
８  開口部
１０  上部フェイスガラス
１２  ガラス扉
１２Ａ  オートドア
１２Ｂ  スイングドア
１３  下部フェイスガラス
１５  駆動部
２０  大型フェイスガラス
２２  リブガラス
【図１】
0003728664.tif 000002
【図２】
0003728664.tif 000003
【図３】
0003728664.tif 000004
【図４】
0003728664.tif 000005
【図５】
0003728664.tif 000006